(57)【要約】【課題】画像データに特色が含まれる場合であっても、自動的に、これがその特色を出力可能な画像出力装置に割り振られ、また、前記画像データに何れの画像出力装置によっても出力不可能な特色が含まれる場合であっても、これが最適な画像出力装置に割り振られ、又は、その制御装置にて通常の加工処理に代わる代替処理が行われる画像出力システム及びその画像出力方法を提供する。【解決手段】制御装置３Ａ〜３Ｃの特色情報登録部Ｆにおいて、予め、ＤＣＰ作成装置４Ａ〜４Ｃの各々が出力可能な特色に関する情報を登録しておく。同時に、画像データの送信を受ける制御装置３Ａ、又は、制御装置３Ｂ、３Ｃの特色情報登録部Ｆにおいて、制御装置３Ａが受信した画像データにＤＣＰ作成装置４Ａ〜４Ｃの何れによっても出力不可能な特色が含まれていた場合に行う画像データの加工処理に関する代替処理の設定を行っておく。【選択図】　　　図５
2004005229.tif 000002
【特許請求の範囲】
【請求項１】
基本色及び所定の特色を用いて画像データの出力が可能な画像出力装置と、該画像出力装置に接続され、外部装置から送信された画像データを直接、若しくは、これに所定の加工処理を施し、前記画像出力装置に送信する制御装置とを含み構成される画像出力システムであって、
前記制御装置は、前記画像出力装置の出力可能な特色に関する情報を複数登録可能な登録手段と、前記外部装置から送信された画像データに含まれる特色に関する情報と前記制御装置の登録手段において登録された前記所定の特色に関する情報とを個々に比較して、それらの一致／不一致を判定する比較判定手段と、前記比較判定手段による比較判定結果において、前記外部装置から送信された画像データに含まれる特色に関する情報と前記制御装置の登録手段において登録された前記所定の特色に関する情報とに一致するものがあった場合に、該当する前記所定の特色に関する情報に基づき前記画像データの出力処理、若しくは、加工処理を行う処理手段とを有することを特徴とする画像出力システム。
【請求項２】
基本色及び所定の特色を用いて画像データの出力が可能な画像出力装置と、該画像出力装置に接続され、外部装置から送信された画像データを直接、若しくは、これに所定の加工処理を施し、前記画像出力装置に送信する制御装置とを含み構成される画像出力システムであって、
前記制御装置は、前記画像出力装置の出力可能な特色に関する情報を複数登録可能な登録手段と、前記外部装置から送信された画像データに含まれる特色に関する情報と前記制御装置の登録手段において登録された前記所定の特色に関する情報とを個々に比較して、それらの一致／不一致を判定する比較判定手段と、前記比較判定手段による比較判定結果において、前記外部装置から送信された画像データに含まれる特色に関する情報と前記登録手段において登録された前記所定の特色に関する情報とに一致するものがなかった場合に、前記画像データの出力処理、若しくは、加工処理に関する代替処理を行う処理手段とを有することを特徴とする画像出力システム。
【請求項３】
前記制御装置は、前記代替処理に関する設定を行う設定手段を有し、該設定手段は前記代替処理を複数登録する場合に、その中から優先して実行するものを指定する指定手段を有することを特徴とする請求項２に記載の画像出力システム。
【請求項４】
前記代替処理は、前記画像データの出力を停止する処理、前記画像データに含まれる特色に関する情報と前記登録手段において登録された前記所定の特色に関する情報とで一致しなかった特色を除いて前記画像データの加工を行う処理、又は、前記一致しなかった特色を基本色に分解して前記画像データを加工する処理の何れかを含むことを特徴とする請求項２又は請求項３に記載の画像出力システム。
【請求項５】
前記画像データに含まれる特色に関する情報は、前記画像データに含まれる特色の種類に関する情報であって、前記所定の特色に関する情報は、前記画像出力装置が出力することが可能な特色の種類に関する情報であることを特徴とする請求項１乃至請求項４の何れか一項に記載の画像出力システム。
【請求項６】
前記画像出力装置は、感光材料を所定の露光量で露光することでカラープルーフを作成するカラープルーフ作成装置であることを特徴とする請求項１乃至請求項５の何れか一項に記載の画像出力システム。
【請求項７】
基本色及び所定の特色を用いて画像データの出力が可能な複数の画像出力装置と、該画像出力装置に接続され、外部装置或いは他の制御装置から送信された画像データを直接、若しくは、これに所定の加工処理を施し、前記画像出力装置に送信する複数の制御装置とを含み構成される画像出力システムであって、
前記制御装置は、前記画像出力装置の出力可能な特色に関する情報を登録する登録手段と、前記画像データの出力処理、若しくは、加工処理を行う処理手段とを有し、
また、前記制御装置の何れか１つは、前記外部装置から送信された画像データに含まれる特色に関する情報と前記制御装置の登録手段において各々登録された前記所定の特色に関する情報とを比較して、それらの一致／不一致を判定する比較判定手段と、前記比較判定手段による比較判定結果において、前記外部装置から送信された画像データに含まれる特色に関する情報と前記制御装置の登録手段において各々登録された前記所定の特色に関する情報とに一致するものがあった場合に、該当する前記制御装置に対して、該当する前記所定の特色に関する情報に基づき前記画像データの出力処理、若しくは、加工処理を指示する指示手段とを有することを特徴とする画像出力システム。
【請求項８】
基本色及び所定の特色を用いて画像データの出力が可能な複数の画像出力装置と、該画像出力装置に接続され、外部装置或いは他の制御装置から送信された画像データを直接、若しくは、これに所定の加工処理を施し、前記画像出力装置に送信する複数の制御装置とを含み構成される画像出力システムであって、
前記制御装置は、前記画像出力装置の出力可能な特色に関する情報を登録する登録手段と、前記画像データの出力処理、若しくは、加工処理に関する代替処理を行う処理手段とを有し、
また、前記制御装置の何れか１つは、前記外部装置から送信された画像データに含まれる特色に関する情報と前記制御装置の登録手段において各々登録された前記所定の特色に関する情報とを比較して、それらの一致／不一致を判定する比較判定手段と、前記比較判定手段による比較判定結果において、前記外部装置から送信された画像データに含まれる特色に関する情報と前記登録手段において登録された前記所定の特色に関する情報とに一致するものがなかった場合に、前記外部装置から送信された画像データに含まれる特色を最も多く出力することのできる画像出力装置に接続される前記制御装置に対して、前記画像データの出力処理、若しくは、加工処理に関する代替処理を行うことを指示する指示手段とを有することを特徴とする画像出力システム。
【請求項９】
前記制御装置の何れか１つは、前記代替処理に関する設定を行う設定手段を有し、該設定手段は前記代替処理を複数登録する場合に、その中から優先して実行するものを指定する指定手段を有することを特徴とする請求項８記載の画像出力システム。
【請求項１０】
前記制御装置は、各々、前記代替処理に関する設定を行う設定手段を有し、該設定手段は前記代替処理を複数登録する場合に、その中から優先して実行するものを指定する指定手段を有することを特徴とする請求項８記載の画像出力システム。
【請求項１１】
前記代替処理は、前記画像データの出力を停止する処理、前記画像データに含まれる特色に関する情報と前記登録手段において登録された前記所定の特色に関する情報とで一致しなかった特色を除いて前記画像データの加工を行う処理、又は、前記一致しなかった特色を基本色に分解して前記画像データの加工を行う処理の何れかを含むことを特徴とする請求項８乃至請求項１０の何れか一項に記載の画像出力システム。
【請求項１２】
前記画像データに含まれる特色に関する情報は、前記画像データに含まれる特色の種類に関する情報であって、前記所定の特色に関する情報は、前記画像出力装置が出力することが可能な特色の種類に関する情報であることを特徴とする請求項７乃至請求項１１の何れか一項に記載の画像出力システム。
【請求項１３】
前記画像出力装置は、感光材料を所定の露光量で露光することでカラープルーフを作成するカラープルーフ作成装置であることを特徴とする請求項７乃至請求項１２の何れか一項に記載の画像出力システム。
【請求項１４】
基本色及び所定の特色を用いて画像データの出力が可能な画像出力装置と、該画像出力装置に接続され、外部装置から送信された画像データを直接、若しくは、これに所定の加工処理を施し、これを前記画像出力装置に送信する制御装置とを含み構成される画像出力システムにおいて、前記画像データを基本色及び所定の特色を用いて出力する際の画像出力方法であって、
前記制御装置において、予め、その制御装置が接続される前記画像出力装置の出力可能な特色に関する情報を少なくとも１つ登録するステップと、前記外部装置から送信された画像データに含まれる特色に関する情報と前記制御装置の登録手段において登録された前記所定の特色に関する情報とを個々に比較して、それらの一致／不一致を判定するステップと、前記外部装置から送信された画像データに含まれる特色に関する情報と前記制御装置の登録手段において登録された前記所定の特色に関する情報とに一致するものがあった場合に、該当する前記所定の特色に関する情報に基づき前記画像データの出力処理、若しくは、加工処理を行うステップとを含み構成されることを特徴とする画像出力方法。
【請求項１５】
基本色及び所定の特色を用いて画像データの出力が可能な画像出力装置と、該画像出力装置に接続され、外部装置から送信された画像データを直接、若しくは、これに所定の加工処理を施し、これを前記画像出力装置に送信する制御装置とを含み構成される画像出力システムにおいて、前記画像データを基本色及び所定の特色を用いて出力する際の画像出力方法であって、
前記制御装置において、予め、その制御装置が接続される前記画像出力装置の出力可能な特色に関する情報を少なくとも１つ登録するステップと、前記外部装置から送信された画像データに含まれる特色に関する情報と前記制御装置の登録手段において登録された前記所定の特色に関する情報とを個々に比較して、それらの一致／不一致を判定するステップと、前記外部装置から送信された画像データに含まれる特色に関する情報と前記制御装置の登録手段において登録された前記所定の特色に関する情報とに一致するものが無かった場合に、前記画像データの出力処理、若しくは、加工処理に関する代替処理を行うステップとを含み構成されることを特徴とする画像出力方法。
【請求項１６】
前記制御装置において、前記代替処理に関する設定を行うステップと、該代替処理に関する設定を行うステップにおいて前記代替処理を複数設定する場合に、その中から優先して実行するものを指定するステップとをさらに含み構成されることを特徴とする請求項１５に記載の画像出力方法。
【請求項１７】
前記代替処理は、前記画像データの出力を停止する処理、前記画像データに含まれる特色に関する情報と前記登録手段において登録された前記所定の特色に関する情報とで一致しなかった特色を除いて前記画像データの加工を行う処理、又は、前記一致しなかった特色を基本色に分解して前記画像データの加工を行う処理の何れかを含むことを特徴とする請求項１５又は請求項１６に記載の画像出力方法。
【請求項１８】
前記画像データに含まれる特色に関する情報は、前記画像データに含まれる特色の種類に関する情報であって、前記所定の特色に関する情報は、前記画像出力装置が出力することが可能な特色の種類に関する情報であることを特徴とする請求項１４乃至請求項１７の何れか一項に記載の画像出力方法。
【請求項１９】
前記画像出力装置は、感光材料を所定の露光量で露光することでカラープルーフを作成するカラープルーフ作成装置であることを特徴とする請求項１４乃至請求項１８の何れか一項に記載の画像出力方法。
【請求項２０】
基本色及び所定の特色を用いて画像データの出力が可能な複数の画像出力装置と、該画像出力装置に接続され、外部装置から送信された画像データを直接、若しくは、これに所定の加工処理を施し、前記画像出力装置に送信する複数の制御装置とを含み構成される画像出力システムにおいて、前記画像データを基本色及び所定の特色を用いて出力する際の画像出力方法であって、
前記制御装置の各々において、予め、その制御装置が接続される前記画像出力装置の出力可能な特色に関する情報を登録するステップと、
前記制御装置の何れか１つにおいて、前記外部装置から送信された画像データに含まれる特色に関する情報と前記制御装置の登録手段において各々登録された前記所定の特色に関する情報とを比較して、それらの一致／不一致を判定するステップと、前記比較判定結果において、前記外部装置から送信された画像データに含まれる特色に関する情報と前記登録手段において登録された前記所定の特色に関する情報とに一致するものがあった場合に、該当する前記制御装置に対して、該当する前記所定の特色に関する情報に基づき前記画像データの出力処理、若しくは、加工処理を指示するステップと、該当する前記制御装置において、前記画像データの出力処理、若しくは、加工処理を行うステップとを含み構成されることを特徴とする画像出力方法。
【請求項２１】
基本色及び所定の特色を用いて画像データの出力が可能な複数の画像出力装置と、該画像出力装置に接続され、外部装置から送信された画像データを直接、若しくは、これに所定の加工処理を施し、前記画像出力装置に送信する複数の制御装置とを含み構成される画像出力システムにおいて、前記画像データを基本色及び所定の特色を用いて出力する際の画像出力方法であって、
前記制御装置の各々において、予め、その制御装置が接続される前記画像出力装置の出力可能な特色に関する情報を登録するステップと、
前記制御装置の何れか１つにおいて、前記外部装置から送信された画像データに含まれる特色に関する情報と前記制御装置の登録手段において各々登録された前記所定の特色に関する情報とを比較して、それらの一致／不一致を判定するステップと、前記比較判定結果において、前記外部装置から送信された画像データに含まれる特色に関する情報と前記登録手段において登録された前記所定の特色に関する情報とに一致するものがなかった場合に、前記外部装置から送信された画像データに含まれる特色を最も多く出力することのできる画像出力装置に接続される前記制御装置に対して、前記画像データの出力処理、若しくは、加工処理に関する代替処理を指示するステップと、該当する前記制御装置において、前記画像データの出力処理、若しくは、加工処理に関する代替処理を行うステップとを含み構成されることを特徴とする画像出力方法。
【請求項２２】
前記制御装置の何れか１つにおいて、前記代替処理に関する設定を行うステップと、該代替処理に関する設定を行うステップにおいて前記代替処理を複数設定する場合に、その中から優先して実行するものを指定するステップとをさらに含み構成されることを特徴とする請求項２１に記載の画像出力方法。
【請求項２３】
前記制御装置の各々において、前記代替処理に関する設定を行うステップと、該代替処理に関する設定を行うステップにおいて前記代替処理を複数設定する場合に、その中から優先して実行するものを指定するステップをさらに含み構成されることを特徴とする請求項２１記載の画像出力方法。
【請求項２４】
前記代替処理は、前記画像データの出力を停止する処理、前記画像データに含まれる特色に関する情報と前記登録手段において登録された前記所定の特色に関する情報とで一致しなかった特色を除いて前記画像データの加工を行う処理、又は、前記一致しなかった特色を基本色に分解して前記画像データの加工を行う処理の何れかを含むことを特徴とする請求項２１乃至請求項２３の何れか一項に記載の画像出力方法。
【請求項２５】
前記画像データに含まれる特色に関する情報は、前記画像データに含まれる特色の種類に関する情報であって、前記所定の特色に関する情報は、前記画像出力装置が出力することが可能な特色の種類に関する情報であることを特徴とする請求項２０乃至請求項２４の何れか一項に記載の画像出力方法。
【請求項２６】
前記画像出力装置は、感光材料を所定の露光量で露光することでカラープルーフを作成するカラープルーフ作成装置であることを特徴とする請求項２０乃至請求項２５の何れか一項に記載の画像出力方法。
【発明の詳細な説明】
【０００１】
【発明の属する技術分野】
本発明は、外部装置から送信された画像データを直接、若しくは、これに所定の加工処理を施し、画像出力装置に送信する少なくとも１つ以上の制御装置と、該制御装置から送信された画像データを基本色及び所定の特色を用いて出力可能な少なくとも１つ以上の画像出力装置とを含み構成される画像出力システム及びその画像出力方法に関するものである。
【０００２】
【従来の技術】
近年、印刷産業においては、ＤＴＰ（Ｄｅｓｋ　Ｔｏｐ　Ｐｕｂｌｉｓｈｉｎｇ）と称され、スキャナから入力した画像をコンピュータのソフトウェア上で画像編集、ページ面付けするデジタル編集装置から、ＣＴＰ（Ｃｏｍｐｕｔｅｒ　ｔｏ　Ｐｌａｔｅ）と称され、デジタルで直接、印刷用の原版を作成する画像出力装置に画像データを送信して、これを出力する機会が増してきている。
【０００３】
しかしながら、このように、直接、印刷用の原版を作成する場合には、ＤＴＰにおいて画像データを作成する際にミスがあると、間違った印刷物を大量に作成してしまう印刷事故が発生する場合があった。
【０００４】
そこで、最近では、原版を作成する前にカラーの網点デジタルプルーフを作成することで、これを基に校正を行うことを可能としたカラープルーフ作成システムなるものが発明されるに至っている。
【０００５】
しかしながら、このようなカラープルーフ作成システムにおいては、当該カラープルーフ作成システムを構成する出力装置が、カラーの網点デジタルプルーフを、シアン、マゼンタ、イエロー、ブラックといった基本色のみを用いて出力することが通常であり、画像データに特色が含まれていた場合であっても、これを基本色に分解して出力することが行われていた。例え、出力装置が特色を用いた出力が可能なものであっても、特色を出力するためには専用のインクが必要とされることから、数種の特定された特色しか出力することはできなかった。
【０００６】
また、前述のように特色を基本色に分解して出力した場合には、カラーの網点デジタルプルーフの長所である網点品質の確認やモアレ等の確認が不可能となってしまい、また、ドットゲインの影響により所望の色と実際に出力される色とに大きな違いが生じる問題があった。
【０００７】
そこで、画像データに特色が含まれていた場合であっても、これを基本色に分解することなく、そのまま網点で出力することが可能なカラープルーフ作成システムが要望されることとなった。
【０００８】
ところで、このようなカラープルーフ作成システムの中には、感光材料である銀塩カラーペーパーを各色の光源によって露光することでカラーの網点デジタルプルーフを作成するものがある。当該カラープルーフ作成システムにおいては、各色の光源による露光量を各々調節することで、任意の特色を出力することが可能となっている。
【０００９】
しかしながら、このようなカラープルーフ作成システムにおいては、所望の特色を出力する際には、予め、個々の出力装置にてその特色に応じた各色の光源による露光量の設定を行う必要があり、さらに、その設定は複数行うことが可能となっているため、出力装置毎に出力可能な特色の種類は異なっているのが通常であり、また、同一の出力装置においても、その設定毎に出力可能な特色の種類は異なっているのが通常となっている。
【００１０】
従って、これら出力装置に画像データを送信する制御装置においては、出力する画像データに含まれる特色が何れの出力装置において出力可能であるか、さらに、その出力装置の何れの設定によって出力可能であるかを事前に個別に判断した上で、その出力装置に対して出力指示を行わなければならなかった。
【００１１】
【発明が解決しようとする課題】
本発明は、上記課題を鑑みてなされたものであり、その目的とするところは、画像出力装置の出力制御を行う制御装置において、予め、前記画像出力装置の特色に関する情報、即ち、濃度テーブルに関する情報を登録しておくことで、当該制御装置に送信される画像データに特色が含まれていた場合であっても、自動的に、その特色を出力可能な濃度テーブルの選択が成され、該濃度テーブルに基づき前記画像データの出力処理、若しくは、加工処理及びその出力処理が行われる画像出力システム及びその画像出力方法を提供することにある。
【００１２】
また、画像出力装置の出力制御を行う制御装置において、予め、前記画像出力装置の特色に関する情報、即ち、濃度テーブルに関する情報を登録しておき、さらに、画像データの加工処理に関する代替処理の設定を行っておくことで、当該制御装置に送信される画像データに、前記画像出力装置の何れの濃度テーブルによっても出力することが不可能な特色が含まれていた場合であっても、自動的に、前記画像データに含まれる特色を最も多く出力することのできる画像出力装置の選択が成され、前記画像データの出力処理、若しくは、加工処理に関する代替処理及びその出力処理が行われる画像出力システム及びその画像出力方法を提供することにある。
【００１３】
また、各々が画像出力装置の出力制御を行う複数の制御装置において、予め、前記画像出力装置の特色に関する情報、即ち、濃度テーブルに関する情報を各々登録しておくことで、前記制御装置に送信される画像データに特色が含まれていた場合であっても、自動的に、その特色を出力可能な濃度テーブルの設定が成された画像出力装置の選択が成され、前記濃度テーブルに基づき前記画像データの出力処理、若しくは、加工処理及びその出力処理が行われる画像出力システム及びその画像出力方法を提供することにある。
【００１４】
また、各々が画像出力装置の出力制御を行う複数の制御装置において、予め、前記画像出力装置の特色に関する情報、即ち、濃度テーブルに関する情報を各々登録しておくことで、さらに、画像データの加工処理に関する代替処理の設定を行っておくことで、前記制御装置に送信される画像データに前記画像出力装置の何れの濃度テーブルによっても出力することが不可能な特色が含まれていた場合であっても、自動的に、前記画像データに含まれる特色を最も多く出力することのできる画像出力装置の選択が成され、前記画像データの出力処理、若しくは、加工処理に関する代替処理及びその出力処理が行われる画像出力システム及びその画像出力方法を提供することにある。
【００１５】
【課題を解決するための手段】
上記課題を解決するために、請求項１記載の発明は、基本色及び所定の特色を用いて画像データの出力が可能な画像出力装置と、該画像出力装置に接続され、外部装置から送信された画像データを直接、若しくは、これに所定の加工処理を施し、前記画像出力装置に送信する制御装置とを含み構成される画像出力システムであって、前記制御装置は、前記画像出力装置の出力可能な特色に関する情報を複数登録可能な登録手段と、前記外部装置から送信された画像データに含まれる特色に関する情報と前記制御装置の登録手段において登録された前記所定の特色に関する情報とを個々に比較して、それらの一致／不一致を判定する比較判定手段と、前記比較判定手段による比較判定結果において、前記外部装置から送信された画像データに含まれる特色に関する情報と前記制御装置の登録手段において登録された前記所定の特色に関する情報とに一致するものがあった場合に、該当する前記所定の特色に関する情報に基づき前記画像データの出力処理、若しくは、加工処理を行う処理手段とを有することを特徴とする。
【００１６】
上記課題を解決するために、請求項２記載の発明は、基本色及び所定の特色を用いて画像データの出力が可能な画像出力装置と、該画像出力装置に接続され、外部装置から送信された画像データを直接、若しくは、これに所定の加工処理を施し、前記画像出力装置に送信する制御装置とを含み構成される画像出力システムであって、前記制御装置は、前記画像出力装置の出力可能な特色に関する情報を複数登録可能な登録手段と、前記外部装置から送信された画像データに含まれる特色に関する情報と前記制御装置の登録手段において登録された前記所定の特色に関する情報とを個々に比較して、それらの一致／不一致を判定する比較判定手段と、前記比較判定手段による比較判定結果において、前記外部装置から送信された画像データに含まれる特色に関する情報と前記登録手段において登録された前記所定の特色に関する情報とに一致するものがなかった場合に、前記画像データの出力処理、若しくは、加工処理に関する代替処理を行う処理手段とを有することを特徴とする。
【００１７】
上記課題を解決するために、請求項７記載の発明は、基本色及び所定の特色を用いて画像データの出力が可能な複数の画像出力装置と、該画像出力装置に接続され、外部装置或いは他の制御装置から送信された画像データを直接、若しくは、これに所定の加工処理を施し、前記画像出力装置に送信する複数の制御装置とを含み構成される画像出力システムであって、前記制御装置は、前記画像出力装置の出力可能な特色に関する情報を登録する登録手段と、前記画像データの出力処理、若しくは、加工処理を行う処理手段とを有し、また、前記制御装置の何れか１つは、前記外部装置から送信された画像データに含まれる特色に関する情報と前記制御装置の登録手段において各々登録された前記所定の特色に関する情報とを比較して、それらの一致／不一致を判定する比較判定手段と、前記比較判定手段による比較判定結果において、前記外部装置から送信された画像データに含まれる特色に関する情報と前記制御装置の登録手段において各々登録された前記所定の特色に関する情報とに一致するものがあった場合に、該当する前記制御装置に対して、該当する前記所定の特色に関する情報に基づき前記画像データの出力処理、若しくは、加工処理を指示する指示手段とを有することを特徴とする。
【００１８】
上記課題を解決するために、請求項８記載の発明は、基本色及び所定の特色を用いて画像データの出力が可能な複数の画像出力装置と、該画像出力装置に接続され、外部装置或いは他の制御装置から送信された画像データを直接、若しくは、これに所定の加工処理を施し、前記画像出力装置に送信する複数の制御装置とを含み構成される画像出力システムであって、前記制御装置は、前記画像出力装置の出力可能な特色に関する情報を登録する登録手段と、前記画像データの出力処理、若しくは、加工処理に関する代替処理を行う処理手段とを有し、また、前記制御装置の何れか１つは、前記外部装置から送信された画像データに含まれる特色に関する情報と前記制御装置の登録手段において各々登録された前記所定の特色に関する情報とを比較して、それらの一致／不一致を判定する比較判定手段と、前記比較判定手段による比較判定結果において、前記外部装置から送信された画像データに含まれる特色に関する情報と前記登録手段において登録された前記所定の特色に関する情報とに一致するものがなかった場合に、前記外部装置から送信された画像データに含まれる特色を最も多く出力することのできる画像出力装置に接続される前記制御装置に対して、前記画像データの出力処理、若しくは、加工処理に関する代替処理を行うことを指示する指示手段とを有することを特徴とする。
【００１９】
上記課題を解決するために、請求項１４記載の発明は、基本色及び所定の特色を用いて画像データの出力が可能な画像出力装置と、該画像出力装置に接続され、外部装置から送信された画像データを直接、若しくは、これに所定の加工処理を施し、これを前記画像出力装置に送信する制御装置とを含み構成される画像出力システムにおいて、前記画像データを基本色及び所定の特色を用いて出力する際の画像出力方法であって、前記制御装置において、予め、その制御装置が接続される前記画像出力装置の出力可能な特色に関する情報を少なくとも１つ登録するステップと、前記外部装置から送信された画像データに含まれる特色に関する情報と前記制御装置の登録手段において登録された前記所定の特色に関する情報とを個々に比較して、それらの一致／不一致を判定するステップと、前記外部装置から送信された画像データに含まれる特色に関する情報と前記制御装置の登録手段において登録された前記所定の特色に関する情報とに一致するものがあった場合に、該当する前記所定の特色に関する情報に基づき前記画像データの出力処理、若しくは、加工処理を行うステップとを含み構成されることを特徴とする。
【００２０】
上記課題を解決するために、請求項１５記載の発明は、基本色及び所定の特色を用いて画像データの出力が可能な画像出力装置と、該画像出力装置に接続され、外部装置から送信された画像データを直接、若しくは、これに所定の加工処理を施し、これを前記画像出力装置に送信する制御装置とを含み構成される画像出力システムにおいて、前記画像データを基本色及び所定の特色を用いて出力する際の画像出力方法であって、前記制御装置において、予め、その制御装置が接続される前記画像出力装置の出力可能な特色に関する情報を少なくとも１つ登録するステップと、前記外部装置から送信された画像データに含まれる特色に関する情報と前記制御装置の登録手段において登録された前記所定の特色に関する情報とを個々に比較して、それらの一致／不一致を判定するステップと、前記外部装置から送信された画像データに含まれる特色に関する情報と前記制御装置の登録手段において登録された前記所定の特色に関する情報とに一致するものが無かった場合に、前記画像データの出力処理、若しくは、加工処理に関する代替処理を行うステップとを含み構成されることを特徴とする。
【００２１】
上記課題を解決するために、請求項２０記載の発明は、基本色及び所定の特色を用いて画像データの出力が可能な複数の画像出力装置と、該画像出力装置に接続され、外部装置から送信された画像データを直接、若しくは、これに所定の加工処理を施し、前記画像出力装置に送信する複数の制御装置とを含み構成される画像出力システムにおいて、前記画像データを基本色及び所定の特色を用いて出力する際の画像出力方法であって、前記制御装置の各々において、予め、その制御装置が接続される前記画像出力装置の出力可能な特色に関する情報を登録するステップと、前記制御装置の何れか１つにおいて、前記外部装置から送信された画像データに含まれる特色に関する情報と前記制御装置の登録手段において各々登録された前記所定の特色に関する情報とを比較して、それらの一致／不一致を判定するステップと、前記比較判定結果において、前記外部装置から送信された画像データに含まれる特色に関する情報と前記登録手段において登録された前記所定の特色に関する情報とに一致するものがあった場合に、該当する前記制御装置に対して、該当する前記所定の特色に関する情報に基づき前記画像データの出力処理、若しくは、加工処理を指示するステップと、該当する前記制御装置において、前記画像データの出力処理、若しくは、加工処理を行うステップとを含み構成されることを特徴とする。
【００２２】
上記課題を解決するために、請求項２１記載の発明は、基本色及び所定の特色を用いて画像データの出力が可能な複数の画像出力装置と、該画像出力装置に接続され、外部装置から送信された画像データを直接、若しくは、これに所定の加工処理を施し、前記画像出力装置に送信する複数の制御装置とを含み構成される画像出力システムにおいて、前記画像データを基本色及び所定の特色を用いて出力する際の画像出力方法であって、前記制御装置の各々において、予め、その制御装置が接続される前記画像出力装置の出力可能な特色に関する情報を登録するステップと、前記制御装置の何れか１つにおいて、前記外部装置から送信された画像データに含まれる特色に関する情報と前記制御装置の登録手段において各々登録された前記所定の特色に関する情報とを比較して、それらの一致／不一致を判定するステップと、前記比較判定結果において、前記外部装置から送信された画像データに含まれる特色に関する情報と前記登録手段において登録された前記所定の特色に関する情報とに一致するものがなかった場合に、前記外部装置から送信された画像データに含まれる特色を最も多く出力することのできる画像出力装置に接続される前記制御装置に対して、前記画像データの出力処理、若しくは、加工処理に関する代替処理を指示するステップと、該当する前記制御装置において、前記画像データの出力処理、若しくは、加工処理に関する代替処理を行うステップとを含み構成されることを特徴とする。
【００２３】
【発明の実施の形態】
以下、本発明に係る画像出力システム及びその画像出力方法の様々な実施形態について、図面を参照しながら詳細に説明する。尚、本実施形態における画像出力システムは、当該システムを構成する画像出力装置として、デジタルカラープルーフ作成装置（以下、ＤＣＰ作成装置と称する）を含み構成されるものである。
【００２４】
［第一の実施形態］
まず、当該画像出力システムの概略構成及び概略動作について説明する。
【００２５】
（画像出力システムの概略構成）
図１に示すように、当該画像出力システムは、上流端末である画像データ編集端末１Ａ〜１Ｃ及びＲＩＰ（Ｒａｓｔｅｒ・Ｉｍａｇｅ・Ｐｒｏｃｅｓｓｏｒ）２から送信された画像データを受信し、その画像データを直接、若しくは、所定の出力条件にて解析加工し、これを出力指示信号と共にＤＣＰ作成装置４Ａに送信する制御装置３Ａと、この制御装置３Ａから送信された画像データに基づいて、所定の出力条件にて所定の画像を出力するＤＣＰ作成装置４Ａとから構成されている。尚、画像データ編集端末１Ａ〜１Ｃ及びＲＩＰ２と制御装置３Ａは、ネットワークＮを介して互いに接続されている。因みに、画像データ編集端末１Ａ〜１ＣやＲＩＰ２は、任意の数が設けられて良い。
【００２６】
画像データ編集端末１Ａ〜１Ｃ及び制御装置３Ａは、各々、コンピュータターミナル（端末装置）として動作するものであって、画像データ編集端末１Ａ〜１Ｃは、コンピュータ本体、キーボード、モニタ、イメージスキャナ等の必要な画像入力機器等を備えている。また、制御装置３Ａは、コンピュータ本体、キーボード、モニタ等を備え、ＤＣＰ作成装置４Ａの出力制御を行うための所定の動作プログラムが組み込まれている。
【００２７】
（画像出力システムの概略動作）
このような構成において、画像データ編集端末１Ａ〜１Ｃ及びＲＩＰ２から画像データが送信されると、制御装置３Ａは、これを受信し、まず受信した画像データに特色が含まれるか否かを判断して、特色が含まれる場合には、次に、ＤＣＰ作成装置４Ａにおいて、その特色を出力することが可能な濃度テーブルの設定が成されているかを判断して、ここで、濃度テーブルの設定が成されていた場合には、前記画像データを、その濃度テーブルに基づき、出力指示信号と共にＤＣＰ作成装置４Ａに送信する。若しくは、これを所定の設定条件にて解析加工した後、加工後の画像データを出力指示信号と共にＤＣＰ作成装置４Ａに送信する。尚、此処に言う所定の設定条件とは、予め各制御装置にて設定されるものであって、具体的には、出力解像度・網点形式・色分解設定等の設定項目がある。また、画像データの種別には、主に、ＰＳ、ＰＤＦ、ＥＰＳ等のページ記述言語と、ＴＩＦＦ、ＴＩＦＦ／ＩＴ、ＪＰＥＧ等の汎用フォーマットとがあり、これらの種別に応じて、前記画像データを解析加工するか否かが決定される。さらに、前記濃度テーブルは、予め、ＤＣＰ作成装置４Ａに保持され、制御装置３Ａから画像データが送信される際に、制御装置３ＡによってＤＣＰ作成装置４Ａに使用する濃度テーブルが指示される場合と、予め、制御装置３Ａに保持され、制御装置３Ａから画像データが送信される際に、これと共に制御装置３ＡからＤＣＰ作成装置４Ａに送信され、ＤＣＰ作成装置４Ａにおいて、その濃度テーブルが用いられる場合とがある。
【００２８】
制御装置３Ａから画像データ及び出力指示信号の送信を受けたＤＣＰ作成装置４Ａは、前記濃度テーブルに従って、前記特色の全てを用いて前記画像データの出力を行う。
【００２９】
また、画像データ編集端末１Ａ〜１Ｃ及びＲＩＰ２から送信された画像データに特色が含まれ、これがＤＣＰ作成装置４Ａの何れの濃度テーブルによっても出力することが不可能であった場合には、制御装置３Ａは、前記特色を最も多く出力することの可能な濃度テーブルに基づいて、前記画像データの出力処理を行う。具体的には、前記画像データと共に前記特色を最も多く出力することの可能な濃度テーブルに関する情報をＤＣＰ作成装置４Ａに送信する。若しくは、予め設定された設定条件に従い、その画像データの加工処理に関する代替処理を行う。具体的には、その画像データの解析加工処理を停止する、又は、出力すること不可能な特色を取り除いて、その画像データを解析加工する、又は、出力すること不可能な特色を基本色に分解して、その画像データ解析加工する。そして、加工処理後の画像データは、出力指示信号と共にＤＣＰ作成装置４Ａに送信される。
【００３０】
このようにして、制御装置３Ａから画像データ及び出力指示信号の送信を受けたＤＣＰ作成装置４Ａは、前記濃度テーブルに従って、出力可能な最大限の特色を用いて前記画像データの出力を行う。若しくは、制御装置３Ａにおいて予め設定された設定条件に従って、出力不可能な特色を除いて、又は、出力不可能な特色を基準色に分解して、前記画像データの出力を行う。
【００３１】
次に、当該画像出力システムの詳細構成及び詳細動作について、その構成要素である制御装置３Ａを基本として説明する。
【００３２】
（制御装置の詳細構成）
図１に示すように、制御装置３Ａは、画像データ編集端末１Ａ〜１Ｃ及びＲＩＰ２から送信された画像データに特色が含まれるか否か、さらには、その特色をＤＣＰ作成装置４Ａの何れの濃度テーブルによって出力することが可能か等を判断する比較判定手段Ａと、この比較判定手段Ａの判定結果に基づき、後述する網点化処理設定手段Ｄによって設定された設定条件に従い画像データの網点化処理を行う網点化処理手段Ｃと、この網点化処理手段Ｃの網点化処理に関する設定を行う網点化処理設定手段Ｄと、前記網点化処理手段Ｃによって網点化処理された画像データを出力指示信号と共にＤＣＰ作成装置４Ａに送信する出力機制御手段Ｅと、ＤＣＰ作成装置４Ａの濃度テーブルに関する情報を登録する特色情報登録手段Ｆとから構成されている。
【００３３】
（画像出力システムの詳細動作）
このような構成において、操作者は、画像データの出力処理を行う事前準備として、以下の２つの操作を行う。
▲１▼制御装置３Ａの特色情報登録手段Ｆによって、ＤＣＰ作成装置４Ａの濃度テーブルに関する情報の登録を行う。
▲２▼制御装置３Ａの網点化処理設定手段Ｄによって、制御装置３Ａに送信された画像データに、ＤＣＰ作成装置４Ａの何れの濃度テーブルによっても出力することが不可能な特色が含まれ、且つ、その画像データが加工処理を必要とする場合に実行する画像データの加工処理に関する代替処理の設定を行う。
【００３４】
この際、前提条件として、ＤＣＰ作成装置４Ａ、又は、制御装置３Ａのどちらかにおいて、ＤＣＰ作成装置４Ａにおける濃度テーブルの設定が行われていることが要求される。これは、俗にカラーコレクション設定と称されるものであって、具体的には、図２に示すような内容となっている。即ち、当該カラーコレクション設定は、入力項目として、シアン、マゼンタ、イエロー、ブラックの基本色及び特色１、特色２の特色と、これらの組み合わせ等があり、出力値として、これらに対応するＲ、Ｇ、Ｂの各色の光源による露光量の設定が行われる。因みに、当該カラーコレクション設定は、通常、複数種類設定される。また、設定を行う可能な特色の数に関しては、これに限られず任意の数であって良い。
【００３５】
ところで、当該カラーコレクション設定が制御装置３Ａにおいて行われた場合には、制御装置３ＡからＤＣＰ作成装置４Ａに画像データが送信される際に、合わせてこのカラーコレクション設定の設定内容に関する情報が送信され、その設定内容がＤＣＰ作成装置４Ａにおけるカラーコレクション設定に反映される。
【００３６】
このようなカラーコレクション設定が行われた上で、操作者は、まず、制御装置３Ａにおいて、このＤＣＰ作成装置４Ａのカラーコレクション設定に関する情報登録を行う。具体的には、図３に示すように、制御装置３Ａの特色情報登録手段Ｆによって、ＤＣＰ作成装置４Ａに関するカラーコレクション設定の各カラーコレクションの設定番号［（１）、（２）、（３）、（４）］と、そのカラーコレクションにおいて設定されている特色の数及びその名称［（２、ＰＡＮＴＯＮＥ１２３４、ＤＩＣ５６）、（０）、（１、ＴＯＹＯ−ＯＲＡＮＧＥ）、（０）］に関する登録を行う。
【００３７】
当該カラーコレクション設定に関する情報登録の登録内容は、制御装置３Ａの特色情報登録手段Ｆに登録される。
【００３８】
操作者は、次に、制御装置３Ａに送信される画像データにＤＣＰ作成装置４Ａの何れのカラーコレクションによっても出力することが不可能な特色が含まれ、且つ、その画像データが網点化処理を必要とするものであった場合に当該装置３Ａの網点化処理手段Ｃが行う画像データの加工処理に関する代替処理の設定を行う。この画像データの出力処理に関する代替処理とは、具体的には、その画像データの加工処理を停止する処理、出力することができない特色を取り除いて、その画像データを網点化する処理、出力することができない特色を基本色に分解して、その画像データを網点化する処理等が挙げられる。即ち、操作者は、当該設定において、これらの何れか１つを選択し、これを設定する。
【００３９】
尚、ここでの記載は省略するが、この他にも、例えば当該装置３Ａに送信される画像データにＤＣＰ作成装置４Ａの何れのカラーコレクションによっても出力することが不可能な特色が含まれ、且つ、その画像データが網点化処理を行うことを必要としないものであった場合に、通常では、前記画像データをそれに含まれる特色を最も多く出力することが可能なカラーコレクションにて出力するところを、その画像データの出力処理を停止するといった設定を行うことも当然に可能である。尚、この詳細については後述する。
【００４０】
当該画像データの網点化処理に関する代替処理の設定内容は、制御装置３Ａの特色情報登録手段Ｆに登録される。
【００４１】
以下、図４に示すフローチャートに基づき、当該画像出力システムの画像出力処理について説明を続ける。
【００４２】
このような事前準備が成された上で、画像データ編集端末１Ａ〜１Ｃ及びＲＩＰ２から画像データが送信されると、制御装置３Ａにおいてこれが受信され、制御装置３Ａの比較判定手段Ａは、まず受信した画像データに特色が含まれるか否かを判断する（Ｓ０１）。ここで、特色が含まれていた場合には、その特色の名称と当該制御装置３Ａの特色情報登録手段Ｆに登録された各カラーコレクションにおける特色の名称とを比較して（Ｓ０２）、前記画像データに含まれる特色を全て出力することが可能なカラーコレクション設定がＤＣＰ作成装置４Ａにおいて成されているか否かを判断する（Ｓ０３）。ここで、前記カラーコレクション設定が成されていた場合には（Ｓ０３、Ｙｅｓ）、比較判定手段Ａは、その画像データが網点化処理を必要とするものか否かを判断して（Ｓ０４）、ここで、その画像データが網点化処理を必要としないものであると判断された場合には（Ｓ０４、Ｎｏ）、出力機制御手段Ｅは、その画像データを出力指示信号と共にＤＣＰ作成装置４Ａに送信する（Ｓ０５）。また、その画像データが網点化処理を必要とするものであると判断された場合には（Ｓ０４、Ｙｅｓ）、網点化処理手段Ｃは、その画像データを該当するカラーコレクション設定に基づいて網点化処理して（Ｓ０６）、出力機制御手段Ｅは、その網点化処理後の画像データを出力指示信号と共にＤＣＰ作成装置４Ａに送信する（Ｓ０５）。
【００４３】
また、Ｓ０３において、前記画像データに含まれる特色を全て出力することが可能なカラーコレクション設定がＤＣＰ作成装置４Ａにおいて成されていなかった場合には（Ｓ０３、Ｎｏ）、比較判定手段Ａは、その画像データが網点化処理を必要とするものか否かを判断して（Ｓ０７）、ここで、その画像データが網点化処理を必要としないものであると判断された場合には（Ｓ０７、Ｎｏ）、その画像データに含まれる特色を最も多く出力することが可能なカラーコレクションに従って前記画像データの出力処理を行う。具体的には、その画像データと共に該当するカラーコレクション設定に関する情報をＤＣＰ作成装置４Ａに送信する。また、Ｓ０７において、その画像データが網点化処理を必要とするものであると判断された場合には（Ｓ０７、Ｙｅｓ）、比較判定手段Ａは、網点化処理設定手段Ｄにおける設定内容、即ち、画像データの網点化処理に関する代替処理の判断を行う。この際、まず、その設定内容が“画像データの網点化処理を停止する処理”であるか否かを判断して（Ｓ０８）、次に、その設定内容が“出力することができない特色を基本色に分解して、その画像データを網点化する処理”であるか否かを判断して（Ｓ０９）、さらに、その設定内容が“出力することができない特色を取り除いて、その画像データを網点化する処理”であるか否かを判断する（Ｓ１０）。因みに、Ｓ０８において、その設定内容が“画像データの網点化処理を停止する処理”であった場合には、制御装置３Ａにおいて、その画像データの網点化処理が停止される（Ｓ１１）。この際、必要に応じてエラー表示等も行われる。また、Ｓ１０において、該当する処理が無かった場合には（Ｓ１０、Ｎｏ）、画像データの網点化処理に関する代替処理の設定が行われていなかったもの判断され、制御装置３Ａにおいて、その画像データの網点化処理が停止される（Ｓ１１）。この際、必要に応じてエラー表示等も行われる。また、Ｓ０９及びＳ１０において該当する処理が存在した場合には（Ｓ０９、Ｙｅｓ、Ｓ１０、Ｙｅｓ）、網点化処理手段Ｃは、該当する処理に従って前記画像データの網点化処理を行う（Ｓ０６）。そして、出力機制御手段Ｅは、この網点化処理後の画像データを出力指示信号と共にＤＣＰ作成装置４Ａに送信する（Ｓ０５）。
【００４４】
制御装置３Ａから画像データ及び出力指示信号の送信を受けたＤＣＰ作成装置４Ａは、その画像データを前記特色を全て用いて出力する。又は、その画像データを前記特色を最大限に多く用いて出力する。若しくは、その画像データを制御装置３Ａにおいて予め設定された設定条件に従って、出力不可能な特色を除いて、又は、出力不可能な特色を基準色に分解して出力する。
【００４５】
尚、前述のように、この他にも、例えば制御装置３Ａに送信される画像データにＤＣＰ作成装置４Ａの何れのカラーコレクションによっても出力することが不可能な特色が含まれ、且つ、その画像データが網点化処理を行うことを必要としないものであった場合に、通常では、前記画像データをそれに含まれる特色を最も多く出力することが可能なカラーコレクションにて出力するところを、その画像データの出力処理を停止するといった処理を行うことも当然に可能である。
【００４６】
以上に説明したように、本実施形態における画像出力システム及びその画像出力方法によれば、操作者は、予め、当該画像出力システムを構成する制御装置において、画像出力装置のカラーコレクション設定に関する情報を登録しておくことで、出力する画像データが特色を含む場合であっても、自動的に、その特色を出力可能なカラーコレクション設定の選択が成され、そのカラーコレクション設定に従って、前記特色を用いた出力処理が行われるので、操作者は、特色を出力する場合であっても、画像出力装置の設定毎に、その特色を出力可能か否かを確認していく必要もなく、自動的に、その画像データを出力することが可能となる。
【００４７】
また、本実施形態における画像出力システム及びその画像出力方法によれば、操作者は、予め、当該画像出力システムを構成する制御装置において、画像出力装置のカラーコレクション設定に関する情報を登録しておくことで、さらに、画像データの網点化処理に関する代替処理の設定を行っておくことで、出力する画像データが特色を含み、且つ、その特色が画像出力装置の何れのカラーコレクション設定によっても出力不可能な場合であっても、自動的に、制御装置において、前記画像データをそれに含まれる特色を最も多く出力することが可能なカラーコレクション設定にて出力する処理、又は、前記画像データの網点化処理に関する代替処理、具体的には、前記画像データの網点化処理を停止する処理、又は、前記特色を除いて前記画像データの網点化を行う処理、又は、前記特色を基本色に分解して前記画像データの網点化を行う処理の何れかが成されるので、操作者は、特色を含む画像データを出力する場合であっても、画像出力装置の設定毎に、その特色を出力可能か否かを確認していく必要もなく、最適な出力処理によって、自動的に、その画像データを出力することができる。
【００４８】
［第二の実施形態］
次に、本発明に係る画像出力システム及びその画像出力方法の前記第一の実施形態とは異なる他の実施形態について説明する。
【００４９】
まず、当該画像出力システムの概略構成及び概略動作について説明する。
【００５０】
（画像出力システムの概略構成）
図５に示すように、当該画像出力システムは、上流端末である画像データ編集端末１Ａ〜１Ｃ及びＲＩＰ（Ｒａｓｔｅｒ・Ｉｍａｇｅ・Ｐｒｏｃｅｓｓｏｒ）２から送信された画像データを一括して受信し、その画像データを予め設定された所定の条件に従って、当該制御装置３Ａを含む制御装置３Ｂ、３Ｃの何れかに割り振る制御装置３Ａと、この制御装置３Ａによって割り振られた画像データを直接、若しくは、所定の出力条件にて解析加工し、これを出力指示信号と共にＤＣＰ作成装置４Ａ〜４Ｃに送信する制御装置３Ａを含む制御装置３Ａ〜３Ｃと、この制御装置３Ａ〜３Ｃから送信された画像データに基づいて、所定の出力条件にて所定の画像を出力するＤＣＰ作成装置４Ａ〜４Ｃとから構成されている。尚、画像データ編集端末１Ａ〜１Ｃ及びＲＩＰ２と制御装置３Ａ〜３ＣはネットワークＮを介して互いに接続されている。因みに、これら画像データ編集端末１Ａ〜１Ｃ、ＲＩＰ２、制御装置３Ａ〜３Ｃ及びＤＣＰ作成装置４Ａ〜４Ｃは、何れも任意の数が設けられて良い。
【００５１】
画像データ編集端末１Ａ〜１Ｃ及び制御装置３Ａ〜３Ｃは、各々、コンピュータターミナル（端末装置）として動作するものであって、画像データ編集端末１Ａ〜１Ｃは、コンピュータ本体、キーボード、モニタ、イメージスキャナ等の必要な画像入力機器等を備えている。また、制御装置３Ａ〜３Ｃは、コンピュータ本体、キーボード、モニタ等を備え、ＤＣＰ作成装置４Ａ〜４Ｃの出力制御を行うための所定の動作プログラムが組み込まれている。
【００５２】
（画像出力システムの概略動作）
このような構成において、画像データ編集端末１Ａ〜１Ｃ及びＲＩＰ２から画像データが送信されると、制御装置３Ａは、これを一括して受信し、まず受信した画像データに特色が含まれるか否かを判断して、特色が含まれる場合には、次に、これを出力することが可能な濃度テーブルの設定が成されたＤＣＰ作成装置が存在するか否かを判断して、ここで、前記濃度テーブルの設定が成されたＤＣＰ作成装置が存在した場合には、該当するＤＣＰ作成装置の出力制御を行う制御装置に対して、前記画像データの出力処理、若しくは、加工処理を行うことを指示する。以下、この制御装置が制御装置３Ｃであったと仮定して説明を続ける。
【００５３】
制御装置３Ａから、前記画像データの出力処理、若しくは、加工処理を行うことを指示された制御装置３Ｃは、その画像データを前記該当する濃度テーブルに基づいて、出力指示信号と共にＤＣＰ作成装置４Ｃに送信する。若しくは、これを所定の設定条件にて解析加工した後、加工後の画像データを出力指示信号と共にＤＣＰ作成装置４Ｃに送信する。尚、此処に言う所定の設定条件とは、予め各制御装置にて設定されるものであって、具体的には、出力解像度・網点形式・色分解設定等の設定項目がある。また、画像データの種別には、主に、ＰＳ、ＰＤＦ、ＥＰＳ等のページ記述言語と、ＴＩＦＦ、ＴＩＦＦ／ＩＴ、ＪＰＥＧ等の汎用フォーマットとがあり、これらの種別に応じて、前記画像データを解析加工するか否かが決定される。さらに、前記濃度テーブルは、予め、ＤＣＰ作成装置４Ａ〜４Ｃに保持され、制御装置３Ａ〜３Ｃから画像データが送信される際に、制御装置３Ａ〜３ＣによってＤＣＰ作成装置４Ａ〜４Ｃに使用する濃度テーブルが指示される場合と、予め、制御装置３Ａ〜３Ｃに保持され、制御装置３Ａ〜３Ｃから画像データが送信される際に、これと共に制御装置３Ａ〜３ＣからＤＣＰ作成装置４Ａ〜４Ｃに送信され、ＤＣＰ作成装置４Ａ〜４Ｃにおいて、その濃度テーブルが用いられる場合とがある。
【００５４】
制御装置３Ｃから画像データ及び出力指示信号の送信を受けたＤＣＰ作成装置４Ｃは、前記濃度テーブルに従って、前記特色の全てを用いて前記画像データの出力を行う。
【００５５】
ところで、画像データ編集端末１Ａ〜１Ｃ及びＲＩＰ２から送信された画像データに特色が含まれ、これがＤＣＰ作成装置４Ａ〜４Ｃの何れの濃度テーブルによっても出力することが不可能であった場合には、制御装置３Ａは、前記特色を最も多く出力することの可能な濃度テーブルの設定が成されたＤＣＰ作成装置に接続される制御装置に対して、前記該当する濃度テーブルに基づく前記画像データの出力処理を指示する。若しくは、当該装置３Ａ又は前記該当する制御装置において予め設定された設定条件に従って、その画像データの加工処理に関する代替処理を行うことを指示する。以下、この制御装置が制御装置３Ｃであったと仮定して説明を続ける。
【００５６】
制御装置３Ｃは、前記該当する濃度テーブルに従って前記画像データの出力処理を行う。具体的には、前記画像データを前記該当する濃度テーブルの設定に関する情報と共にＤＣＰ作成装置４Ｃに送信する。若しくは、制御装置３Ａ又は当該装置３Ｃにおいて予め設定された設定条件に従い、その画像データの出力に関する代替処理を行う。具体的には、その画像データの解析加工処理を停止する、又は、出力すること不可能な特色を取り除いて、その画像データを解析加工する、又は、出力すること不可能な特色を基本色に分解して、その画像データを解析加工する。
【００５７】
尚、前記画像データに含まれる特色を最も多く出力することの可能な濃度テーブルの設定が成されたＤＣＰ作成装置が複数存在した場合には、制御装置３Ａは、さらに、最も出力待ちのジョブ数が少ないＤＣＰ作成装置が何れであるか、さらに、最も加工処理待ちの画像データが少ない制御装置が何れであるか等を判断して、該当するＤＣＰ作成装置に接続される制御装置に対して、若しくは、該当する制御装置に対して、前記該当する濃度テーブルに基づく前記画像データの出力処理を指示する。若しくは、当該装置３Ａ又は前記該当する制御装置において予め設定された設定条件に従って、その画像データの加工処理に関する代替処理を行うことを指示する。尚、この詳細については後述する。
【００５８】
このようにして、制御装置３Ａ〜３Ｃから画像データ及び出力指示信号の送信を受けたＤＣＰ作成装置４Ａ〜４Ｃは、前記濃度テーブルに従って、出力可能な最大限の特色を用いて前記画像データの出力を行う。若しくは、制御装置３Ａ〜３Ｃの何れかにおいて予め設定された設定条件に従って、出力不可能な特色を除いて、又は、出力不可能な特色を基準色に分解して、前記画像データの出力を行う。
【００５９】
次に、当該画像出力システムの詳細構成及び詳細動作について、その構成要素である制御装置３Ａ〜３Ｃを基本として説明する。
【００６０】
（制御装置の詳細構成）
図５に示すように、制御装置３Ａは、画像データ編集端末１Ａ〜１Ｃ及びＲＩＰ２から送信された画像データに特色が含まれるか否か、さらには、その特色をＤＣＰ作成装置４Ａ〜４Ｃの何れの濃度テーブルによって出力することが可能か等を判断する比較判定手段Ａと、この比較判定手段Ａの判定結果に基づき、該当する制御装置に対して、前記画像データの出力処理、加工処理、若しくは、加工処理に関する代替処理を指示する処理指示手段Ｂと、同じく、前記比較判定手段Ａの判定結果に基づき、後述する網点化処理設定手段Ｄによって設定された設定条件に従い画像データの網点化処理を行う網点化処理手段Ｃと、この網点化処理手段Ｃの網点化処理に関する設定を行う網点化処理設定手段Ｄと、前記網点化処理手段Ｃによって網点化処理された画像データを出力指示信号と共にＤＣＰ作成装置４Ａに送信する出力機制御手段Ｅと、ＤＣＰ作成装置４Ａにおいて出力することが可能な特色に関する情報を登録する特色情報登録手段Ｆとから構成されている。
【００６１】
また、制御装置３Ｂ、３Ｃは、それぞれ、画像データに対して制御装置Ａの網点化処理設定手段Ｄ、或いは、後述する網点化処理設定手段Ｄによって設定された設定条件に従い網点化処理を行う網点化処理手段Ｃと、この網点化処理手段Ｃの網点化処理に関する設定を行う網点化処理設定手段Ｄと、前記網点化処理手段Ｃによって網点化処理された画像データを出力指示信号と共にＤＣＰ作成装置４Ｂ、４Ｃに送信する出力機制御手段Ｅと、ＤＣＰ作成装置４Ｂ、４Ｃにおいて出力することが可能な特色に関する情報を登録する特色情報登録手段Ｆとから構成されている。
【００６２】
（画像出力システムの詳細動作）
このような構成において、操作者は、画像データの出力処理を行う事前準備として、以下の２つの操作を行う。
▲１▼制御装置３Ａ〜３Ｃの特色情報登録手段Ｆによって、ＤＣＰ作成装置４Ａ〜４Ｃの各々において出力が可能な特色に関する情報の登録を行う。
▲２▼制御装置３Ａ〜３Ｃの網点化処理設定手段Ｄによって、制御装置３Ａに送信された画像データに、ＤＣＰ作成装置４Ａ〜４Ｃの何れの濃度テーブルによっても出力することが不可能な特色が含まれ、且つ、その画像データが加工処理を必要とする場合に実行する画像データの加工処理に関する代替処理の設定を行う。
【００６３】
この際、前提条件として、ＤＣＰ作成装置４Ａ〜４Ｃ、若しくは、制御装置３Ａ〜３Ｃの何れかにおいて、ＤＣＰ作成装置４Ａ〜４Ｃにおける濃度テーブルの設定が行われていることが要求される。これは、俗にカラーコレクション設定と称されるものであり、具体的には、図２に示すような内容となっている。即ち、当該カラーコレクション設定は、入力項目として、シアン、マゼンタ、イエロー、ブラックの基本色及び特色１、特色２の特色と、これらの組み合わせ等があり、出力値として、これらに対応するＲ、Ｇ、Ｂの各色の光源による露光量の設定が行われる。因みに、当該カラーコレクション設定は、通常、複数種類設定される。また、設定を行う可能な特色の数に関しては、これに限られず任意の数であって良い。
【００６４】
ところで、当該カラーコレクション設定が制御装置３Ａ〜３Ｃにおいて行われた場合には、制御装置３Ａ〜３ＣからＤＣＰ作成装置４Ａ〜４Ｃに画像データが送信される際に、合わせてこのカラーコレクション設定の設定内容に関する情報が送信され、その設定内容がＤＣＰ作成装置４Ａ〜４Ｃにおけるカラーコレクション設定に反映される。
【００６５】
このようなカラーコレクション設定が行われた上で、操作者は、まず、制御装置３Ａ〜３Ｃの各々において、このＤＣＰ作成装置４Ａ〜４Ｃのカラーコレクション設定に関する情報登録を行う。具体的には、図３に示すように、制御装置３Ａ〜３Ｃの特色情報登録手段Ｆによって、ＤＣＰ作成装置４Ａ〜４Ｃに関するカラーコレクション設定の各カラーコレクションの設定番号［（１）、（２）、（３）、（４）］と、そのカラーコレクションにおいて設定されている特色の数及びその名称［（２、ＰＡＮＴＯＮＥ１２３４、ＤＩＣ５６）、（０）、（１、ＴＯＹＯ−ＯＲＡＮＧＥ）、（０）］に関する登録を行う。
【００６６】
当該カラーコレクション設定に関する情報登録の登録内容は、制御装置３Ａ〜３Ｃの特色情報登録手段Ｆに登録される。
【００６７】
操作者は、次に、制御装置３Ａに送信される画像データにＤＣＰ作成装置４Ａ〜４Ｃの何れのカラーコレクションによっても出力することが不可能な特色が含まれ、且つ、その画像データが網点化処理を必要とするものであった場合に制御装置３Ａ〜３Ｃの網点化処理手段Ｃが行う画像データの網点化処理に関する代替処理の設定を行う。この画像データの網点化処理に関する代替処理とは、具体的には、その画像データの網点化処理を停止する処理、出力することができない特色を取り除いて、その画像データを網点化する処理、出力することができない特色を基本色に分解して、その画像データを網点化する処理等が挙げられる。即ち、操作者は、当該設定において、これらの何れか１つを選択し、これを設定する。
【００６８】
尚、ここでの記載は省略するが、この他にも、例えば制御装置３Ａに送信される画像データにＤＣＰ作成装置４Ａ〜４Ｃの何れのカラーコレクションによっても出力することが不可能な特色が含まれ、且つ、その画像データが網点化処理を行うことを必要としないものであった場合に、通常では、前記画像データをそれに含まれる特色を最も多く出力することが可能なカラーコレクションの設定が成されたＤＣＰ作成装置によって出力するところを、当該画像データの出力処理を停止するといった設定を行うことも当然に可能である。尚、この詳細については後述する。
【００６９】
当該画像データの網点化処理に関する代替処理の設定内容は、制御装置３Ａ〜３Ｃの特色情報登録手段Ｆに登録される。
【００７０】
以下、図６に示すフローチャートに基づき、当該画像出力システムの画像出力処理について説明を続ける。
【００７１】
このような事前準備が成された上で、画像データ編集端末１Ａ〜１Ｃ及びＲＩＰ２から画像データが送信されると、制御装置３Ａにおいてこれが一括して受信され、制御装置３Ａの比較判定手段Ａは、まず受信した画像データに特色が含まれるか否かを判断する。（Ｓ０１）。ここで、特色が含まれていた場合には、その特色の名称と制御装置３Ａ〜３Ｃの各々において、その特色情報登録手段Ｆに登録された特色の名称とを比較して（Ｓ０２）、前記画像データに含まれる特色を全て出力することが可能なカラーコレクション設定がＤＣＰ作成装置４Ａ〜４Ｃの何れかにおいて成されているか否かを判断する（Ｓ０３）。ここで、前記特色を出力可能なカラーコレクションの設定が成されたＤＣＰ作成装置が存在した場合には（Ｓ０３、Ｙｅｓ）、さらに、それが単数であるか複数であるかを判断して（Ｓ０４）、複数であった場合には（Ｓ０４、Ｙｅｓ）、次に出力待ちのジョブ数が最も少ないＤＣＰ作成装置が何れであるかを判断する（Ｓ０５）。さらに、それが単数であるか複数であるかを判断して（Ｓ０６）、複数であった場合には（Ｓ０６、Ｙｅｓ）、次に加工処理待ちの画像データ数が最も少ない制御装置が何れであるかを判断する（Ｓ０７）。その判断結果を受けて、処理指示手段Ｂは、該当する制御装置に対して、その画像データが網点処理を必要とするものか否かに応じて、前記画像データの出力処理、若しくは、加工処理を指示する（Ｓ０８）。尚、Ｓ０４において、前記画像データに含まれる特色を全て出力することが可能なＤＣＰ作成装置が単数であった場合（Ｓ０４、Ｎｏ）、また、Ｓ０６において、出力待ちのジョブ数が最も少ないＤＣＰ作成装置が単数であった場合（Ｓ０６、Ｎｏ）には、処理指示手段Ｂは、該当するＤＣＰ作成装置の出力制御を行う制御装置に対して、その画像データが網点処理を必要とするものか否かに応じて前記画像データの出力処理、若しくは、加工処理を指示する（Ｓ０８）。例えばこれがＤＣＰ作成装置４Ｃであれば、その出力制御を行う制御装置３Ｃに対して、前記画像データの出力処理、若しくは、加工処理を指示する。
【００７２】
また、Ｓ０３において、前記画像データに含まれる特色を全て出力することが可能なカラーコレクションの設定が成されたＤＣＰ作成装置が存在しなかった場合には（Ｓ０３、Ｎｏ）、比較判定手段Ａは、その画像データが網点化処理を必要とするものか否かを判断して（Ｓ０９）、ここで、その画像データが網点化処理を必要としないものであると判断された場合には（Ｓ０９、Ｎｏ）、処理指示手段Ｂは、その画像データに含まれる特色を最も多く出力することが可能なカラーコレクションの設定が成されたＤＣＰ作成装置の出力制御を行う制御装置に対して、前記該当するカラーコレクション設定に基づく、前記画像データの出力処理の指示を行う。また、その画像データが網点化処理を必要とするものであると判断された場合には（Ｓ０９、Ｙｅｓ）、比較判定手段Ａは、網点化処理設定手段Ｄにおける設定内容、即ち、画像データの網点化処理に関する代替処理の判断を行う。但し、この画像データの網点化処理に関する代替処理の判断は、制御装置３Ａの処理指示手段Ｂによって指示を受けた他の制御装置において行うことにしても良い。説明に戻って、比較判定手段Ａは、まず、その設定内容が“画像データの網点化処理を停止する処理”であるか否かを判断して（Ｓ１０）、次に、その設定内容が“出力することができない特色を基本色に分解して、その画像データを網点化する処理”であるか否かを判断して（Ｓ１１）、さらに、その設定内容が“出力することができない特色を取り除いて、その画像データを網点化する処理”であるか否かを判断する（Ｓ１２）。因みに、この時、該当する処理が存在しなかった場合には（Ｓ１２、Ｎｏ）、画像データの網点化に関する代替処理の設定が行われていなかったもの判断され、制御装置３Ａにおいて、その画像データの網点化処理が停止される（Ｓ１４）。この際、必要に応じてエラー表示等も行われる。また、Ｓ１１及びＳ１２において該当する処理が存在した場合には（Ｓ１１、Ｙｅｓ、Ｓ１２、Ｙｅｓ）、比較判定手段Ａは、次に、前記画像データに含まれる特色を最も多く出力することが可能なＤＣＰ作成装置がＤＣＰ作成装置４Ａ〜４Ｃの何れであるかを特定する（Ｓ１３）。以降、Ｓ０４に続く。即ち、さらに、それが単数であるか複数であるかを判断して（Ｓ０４）、複数であった場合には（Ｓ０４、Ｙｅｓ）、次に出力待ちのジョブ数が最も少ないＤＣＰ作成装置が何れであるかを判断して（Ｓ０５）、さらには、それが単数であるか複数であるかを判断して（Ｓ０６）、複数であった場合には（Ｓ０６、Ｙｅｓ）、次に加工処理待ちの画像データ数が最も少ない制御装置が何れであるかを判断する（Ｓ０７）。その判断結果を受けて、処理指示手段Ｂは、該当する制御装置に対して、前記画像データの網点化処理に関する代替処理を行うことを指示をする（Ｓ０８）。尚、Ｓ０４において、前記画像データに含まれる特色を全て出力することが可能なＤＣＰ作成装置が単数であった場合（Ｓ０４、Ｎｏ）、また、Ｓ０６において、出力待ちのジョブ数が最も少ないＤＣＰ作成装置が単数であった場合（Ｓ０６、Ｎｏ）には、処理指示手段Ｂは、該当するＤＣＰ作成装置の出力制御を行う制御装置に対して、その画像データの網点化処理に関する代替処理を行うことを指示する（Ｓ０８）。例えばこれがＤＣＰ作成装置４Ｃであれば、その出力制御を行う制御装置３Ｃに対して、前記画像データの網点化処理に関する代替処理を行うことを指示する。
【００７３】
尚、Ｓ１０において、比較判定手段Ａによって、網点化処理設定手段Ｄにおける設定内容が“画像データの網点化処理を停止する処理”であると判断された場合には（Ｓ１０、Ｙｅｓ）、制御装置３Ａにおいて、その画像データの網点化処理が停止される（Ｓ１４）。この際、必要に応じてエラー表示等も行われる。また、Ｓ１２において、該当する処理が存在しなかった場合には（Ｓ１２、Ｎｏ）、画像データの網点化処理に関する代替処理の設定が行われていなかったもの判断され、制御装置３Ａにおいて、その画像データの網点化処理が停止される（Ｓ１４）。この際、必要に応じてエラー表示等も行われる。但し、前述のように、この画像データの網点化処理に関する代替処理の判断は、制御装置３Ａの処理指示手段Ｂによって指示を受けた他の制御装置において行うことにしても良い。
【００７４】
このようにして、制御装置３Ａの処理指示段Ｂから前記画像データの出力処理、又は、網点化処理、若しくは、網点化処理に関する代替処理を行う指示を受けた制御装置は、前記画像データを該当するカラーコレクション設定に関する情報及び出力指示信号と共にＤＣＰ作成装置に送信する。又は、前記画像データを網点化処理した後、これを出力指示信号と共にＤＣＰ作成装置に送信する。若しくは、前記画像データを制御装置３Ａ又は制御装置３Ｂ、３Ｃの網点化処理設定手段Ｄにおいて予め設定された設定内容に従って網点化処理した後、これを出力指示信号と共にＤＣＰ作成装置に送信する。
【００７５】
制御装置から画像データ及び出力指示信号の送信を受けたＤＣＰ作成装置は、前記該当するカラーコレクション設定に従って、前記特色の全てを用いて画像を出力する。又は、前記画像データに含まれる特色を最大限に多く用いて画像を出力する。若しくは、制御装置３Ａ〜３Ｃの何れかにおいて予め設定された設定内容に従って、出力不可能な特色を除いて、若しくは、出力不可能な特色を基準色に分解して画像を出力する。
【００７６】
尚、前述のように、この他にも、例えば制御装置３Ａに送信される画像データにＤＣＰ作成装置４Ａ〜４Ｃの何れのカラーコレクションによっても出力することが不可能な特色が含まれ、且つ、その画像データが網点化処理を行うことを必要としないものであった場合に、通常では、前記画像データをそれに含まれる特色を最も多く出力することが可能なカラーコレクションの設定が成されたＤＣＰ作成装置によって出力するところを、当該画像データの出力処理を停止するといった処理に替えることも当然に可能である。
【００７７】
以上に説明したように、本実施形態における画像出力システム及びその画像出力方法によれば、操作者は、予め、当該画像出力システムを構成する各制御装置において、各画像出力装置のカラーコレクション設定に関する情報を登録しておくことで、出力する画像データが特色を含む場合であっても、自動的に、その特色を出力可能なカラーコレクションの設定が成された画像出力装置によって、前記特色を用いた出力が行われるので、操作者は、特色を出力する場合であっても、画像出力装置毎に、その特色を出力可能か否かを確認していく必要もなく、自動的に、その画像データを出力することが可能となる。
【００７８】
また、本実施形態における画像出力システム及びその画像出力方法によれば、操作者は、予め、当該画像出力システムを構成する各制御装置において、画像データの網点化処理に関する代替処理の設定を行っておくことで、出力する画像データが特色を含み、且つ、その特色が何れの画像出力装置によっても出力不可能な場合であっても、自動的に、前記画像データに含まれる特色を最も多く出力することが可能な画像出力装置の出力制御を行う制御装置において、前記画像データを該当するカラーコレクション設定にて出力する処理、又は、前記画像データの網点化処理に関する代替処理、具体的には、前記画像データの網点化処理を停止する処理、又は、前記特色を除いて前記画像データの網点化を行う処理、又は、前記特色を基本色に分解して前記画像データの網点化を行う処理の何れかが成されるので、操作者は、特色を含む画像データを出力する場合であっても、画像出力装置の設定毎に、その特色を出力可能か否かを確認していく必要もなく、最適な出力装置及び処理によって、自動的に、その画像データを出力することができる。
【００７９】
【発明の効果】
以上に説明したように、本発明に係る画像出力システム及びその画像出力方法によれば、操作者は、予め、当該画像出力システムを構成する制御装置において、画像出力装置のカラーコレクション設定に関する情報を登録しておくことで、出力する画像データが特色を含む場合であっても、自動的に、その特色を出力可能なカラーコレクションの選択が成され、このカラーコレクションに基づいて、前記特色を用いた出力処理が行われるので、操作者は、特色を出力する場合であっても、画像出力装置の設定毎に、その特色を出力可能か否かを確認していく必要もなく、自動的に、その画像データを出力することができる。
【００８０】
また、本発明に係る画像出力システム及びその画像出力方法によれば、操作者は、予め、当該画像出力システムを構成する制御装置において、画像データの網点化処理に関する代替処理の設定を行っておくことで、出力する画像データが特色を含み、且つ、その特色が画像出力装置の何れのカラーコレクションによっても出力不可能な場合であっても、自動的に、制御装置において、前記画像データをそれに含まれる特色を最も多く用いて出力することが可能なカラーコレクションにて出力する処理、又は、前記画像データの網点化処理に関する代替処理、具体的には、前記画像データの網点化処理を停止する処理、又は、前記特色を除いて前記画像データの網点化を行う処理、又は、前記特色を基本色に分解して前記画像データの網点化を行う処理の何れかが成されるので、操作者は、特色を含む画像データを出力する場合であっても、画像出力装置の設定毎に、その特色を出力可能か否かを確認していく必要もなく、最適な処理によって、自動的に、その画像データを出力することができる。
【００８１】
以上に説明したように、本発明に係る画像出力システム及びその画像出力方法によれば、操作者は、予め、当該画像出力システムを構成する各制御装置において、各画像出力装置のカラーコレクション設定に関する情報を登録しておくことで、出力する画像データが特色を含む場合であっても、自動的に、その特色を出力可能なカラーコレクションの設定が成された画像出力装置に画像データが送信され、この画像出力装置によって、前記特色を用いた出力が行われるので、操作者は、特色を出力する場合であっても、画像出力装置毎に、その特色を出力可能か否かを確認していく必要もなく、自動的に、その画像データを出力することができる。
【００８２】
また、本発明に係る画像出力システム及びその画像出力方法によれば、操作者は、予め、当該画像出力システムを構成する各制御装置において、画像データの網点化処理に関する代替処理の設定を行っておくことで、出力する画像データが特色を含み、且つ、その特色が何れの画像出力装置によっても出力不可能な場合であっても、自動的に、前記画像データに含まれる特色を最も多く出力することが可能な画像出力装置の出力制御を行う制御装置において、前記画像データを該当するカラーコレクション設定にて出力する処理、又は、前記画像データの網点化処理に関する代替処理、具体的には、前記画像データの網点化処理を停止する処理、又は、前記特色を除いて前記画像データの網点化を行う処理、又は、前記特色を基本色に分解して前記画像データの網点化を行う処理の何れかが成されるので、操作者は、特色を含む画像データを出力する場合であっても、画像出力装置の設定毎に、その特色を出力可能か否かを確認していく必要もなく、最適な出力装置及び処理によって、自動的に、その画像データを出力することができる。
【図面の簡単な説明】
【図１】本発明に係る画像出力システムの一実施形態における全体構成を表すシステム構成図である。
【図２】図１に示す画像出力システムのＤＣＰ作成装置又は制御装置において成されるカラーコレクション設定の設定内容を表す図である。
【図３】図１に示す画像出力システムの制御装置において成される各ＤＣＰ作成装置の出力可能な特色に関する情報登録の登録内容を表す図である。
【図４】図１に示す画像出力システムにおける画像データの出力処理の流れについて説明するフローチャートである。
【図５】本発明に係る画像出力システムの一実施形態における全体構成を表すシステム構成図である。
【図６】図５に示す画像出力システムにおける画像データの出力処理の流れについて説明するフローチャートである。
【符号の説明】
１Ａ〜１Ｃ…画像データ編集端末
２…ＲＩＰ
３Ａ〜３Ｃ…制御装置
Ａ…比較判定手段
Ｂ…処理指示手段
Ｃ…網点化処理手段
Ｄ…網点化処理設定手段
Ｅ…出力機制御手段
Ｆ…特色情報登録手段
４Ａ〜４Ｃ…ＤＣＰ作成装置
Ｎ…ネットワーク
【図１】
2004005229.tif 000003
【図２】
2004005229.tif 000004
【図３】
2004005229.tif 000005
【図４】
2004005229.tif 000006
【図５】
2004005229.tif 000007
【図６】
2004005229.tif 000008